(57)【特許請求の範囲】
【請求項１】
浴槽本体の上端部に設けられる浴槽フランジの上面が非平面形状に形成され、浴槽本体の開口部周辺の内面に接するように風呂蓋が落とし込まれて着脱自在に施蓋されると共に、施蓋状態にある風呂蓋の上面が上記非平面形状の浴槽フランジの最も低い上面位置よりも上方に突出しないように構成し、上記風呂蓋の浴槽本体との接触する部分に、ゲル状物質を包含した軟質部材を設けたことを特徴とする風呂蓋付き浴槽。
【請求項２】
上記浴槽本体の内面に接する風呂蓋の外端部を、浴槽本体の内面に沿う斜面形状に形成したことを特徴とする請求項１記載の風呂蓋付き浴槽。
【発明の詳細な説明】
【技術分野】
【０００１】
本発明は、風呂蓋付き浴槽に関し、詳しくは、浴槽本体の開口部周辺の内面に接するように風呂蓋が落とし込まれて着脱自在に施蓋される構造に関するものである。
【背景技術】
【０００２】
従来より、浴室全体に断熱性能が求められるようになり、そのなかで風呂蓋の断熱性能の向上も求められるようになっている。
【０００３】
風呂蓋を高断熱タイプにするためには、真空断熱材などで断熱する必要があり、そのためには、例えば特許文献１等に開示されている簡易的な巻き蓋仕様ではなく、例えば特許文献２等に開示されている、ある程度厚みのある高断熱の組蓋仕様の風呂蓋であることが条件となる。
【０００４】
ところで、近年は例えば図７に示すように浴槽フランジ２の上面が特殊な曲面形状をしたデザイン志向浴槽が増えてきており、この場合において、上記特許文献２に見られる組蓋仕様の風呂蓋では、曲面形状の浴槽フランジ２の最も低い上面位置２ａとの間に隙間が生じてしまう。そこで隙間をなくすためには、結局は図７のように巻き蓋仕様の風呂蓋１０を使用するしかなく、この場合、断熱性能が低下するという問題が生じる。そのうえ従来のように風呂蓋１０を浴槽フランジ２に載置する方式では、浴槽フランジ２の隅部に浴槽デッキ水栓４等の設備が設置されている場合は、風呂蓋１０の一部に該設備を避けるための切り欠き１０ａを設ける必要があり、このため風呂蓋１０の種類が増加して、生産効率が低下し、コスト的、デザイン的にも不利になるといった問題もある。
【特許文献１】実開昭６０−４４６８６号公報
【特許文献２】特開２００６−８７６５１号公報
【発明の開示】
【発明が解決しようとする課題】
【０００５】
本発明は上記の従来の問題点に鑑みて発明したものであって、浴槽フランジの形状に関わらず、風呂蓋と浴槽本体との密着性が得られると共に、浴槽フランジ上面に設置される浴槽デッキ水栓等との干渉もなく、１種類の風呂蓋で様々な様式の浴槽の高断熱化を実現できると共に、風呂蓋の生産性向上、低コスト化、高デザイン化を図ることができる風呂蓋付き浴槽を提供することを課題とするものである。
【課題を解決するための手段】
【０００６】
前記課題を解決するために本発明は、浴槽本体１の上端部に設けられる浴槽フランジ２の上面が非平面形状に形成され、浴槽本体１の開口部周辺の内面１ａに接するように風呂蓋３が落とし込まれて着脱自在に施蓋されると共に、施蓋状態にある風呂蓋３の上面３ａが非平面形状の浴槽フランジ２の最も低い上面位置２ａよりも上方に突出しないように構成し、風呂蓋３の浴槽本体１との接触する部分に、ゲル状物質を包含した軟質部材５を設けたことを特徴としている。
【０００７】
このような構成とすることで、本発明の風呂蓋３は浴槽フランジ２に載置して施蓋するものではなく、浴槽本体１の内面１ａに落とし込んで施蓋する構造であるため、浴槽フランジ２の形状とは関係なく、風呂蓋３と浴槽本体１との高い密着性を確保でき、また高断熱性の組蓋仕様の風呂蓋３が使用可能となるので、高い断熱性能を確保することができると共に、浴槽フランジ２の上面に浴槽デッキ水栓４等との干渉もなくなる。そのうえ風呂蓋３の上面３ａが浴槽フランジ２の最も低い上面位置２ａよりも上方に突出しないため、浴槽フランジ２と風呂蓋３との間で一体感が得られ、デザイン性に優れたものとなる。
【０００８】
また、軟質部材５によって風呂蓋３と浴槽本体１との密着性を向上させることができ、断熱性能を一層確保できるようになる。
【０００９】
また、上記浴槽本体１の内面１ａに接する風呂蓋３の外端部を、浴槽本体１の内面１ａに沿う斜面形状に形成するのが好ましく、この場合、風呂蓋３と浴槽本体１との高い密着性が容易に得られるようになる。
【発明の効果】
【００１０】
本発明は、浴槽本体内に風呂蓋が落とし込まれて着脱自在に施蓋されることにより、浴槽フランジの形状や浴槽デッキ水栓等とは関係なく、１種類の風呂蓋で様々な浴槽の高断熱化を実現できると共に、風呂蓋の生産性向上及び低コスト化を図ることができ、さらに浴槽フランジと風呂蓋との一体感が得られ、デザイン性向上を図ることができるものである。
【発明を実施するための最良の形態】
【００１１】
以下、本発明を添付図面に示す実施形態に基いて説明する。
【００１２】
図１は、本発明の風呂蓋３を浴槽本体１内に落とし込んで着脱自在に施蓋した状態の説明図であり、図２は非平面形状の浴槽フランジ２を備えた浴槽本体１の説明図であり、図３は本発明の風呂蓋３を左右２分割した一方の組蓋３Ａの説明図であり、図４は風呂蓋３の外周部が浴槽本体１の内面１ａに密着した状態の説明図である。
【００１３】
浴槽本体１の上端部に設けられる浴槽フランジ２の上面は非平面形状に形成されている。図２の例では、中央が最も低く、両端側がそれぞれ高くなるように緩やかな曲面を描いた形状を例示しているが、勿論、このような曲面形状に限らず、段差のある凹凸形状であってもよく、浴槽フランジ２の非平面形状は適宜設計変更自在である。
【００１４】
風呂蓋３は、浴槽本体１の開口部周辺の内面１ａに接するように浴槽本体１内に落とし込まれて着脱自在に施蓋されるものであり、図１（ｂ）に示すように、風呂蓋３の上面３ａは、浴槽フランジ２の最も低い上面位置２ａよりも低い位置に位置するように、風呂蓋３の落とし込み深さが決められている。
【００１５】
また本例の風呂蓋３は、断熱体からなる２枚１組の組蓋３Ａ，３Ａで構成されている。なお断熱体の材質や形状は特に限定されない。各組蓋３Ａは左右対称形状をしており、図３に示すように、取手６がそれぞれ設けられていると共に、突合せ面となる１辺３ｂを除く他の３辺３ｃ〜３ｅがそれぞれ浴槽本体１と接触する部分となっており、これら３辺３ｃ〜３ｅに沿って浴槽本体１の内面１ａとの密着性を良好にするための軟質部材５が取り付けられている。軟質部材５は、例えば材質が柔らかい天然ゴム、合成ゴム、又は、天然ゴムと合成ゴムとのブレンド材料等で構成されている。さらにゴム製の軟質部材５中に粘性を有するゲル状物質（例えばゲル状のシリコン系材料）を包含させるのが望ましい。
【００１６】
しかして、上記構成の風呂蓋３は、浴槽フランジ２に載置されるものではなく、浴槽本体１の内面１ａに落とし込んで施蓋されるものであるから、浴槽フランジ２の上面がたとえ曲面形状であっても、風呂蓋３と浴槽本体１との密着性を確保できるので、例えば断熱性の良い組蓋３Ａを使用することによって、高い断熱性能が得られる利点がある。勿論、巻き蓋仕様の風呂蓋も使用可能であるが、断熱性を高める上で組蓋３Ａを使用するのが好ましい。しかも浴槽本体１の内面１ａに接する風呂蓋３の外周部分には変形しやすい軟質部材５（ゲル状物質入り）が設けられているので、風呂蓋３と浴槽本体１との密着性をより高まり、風呂蓋３の外周部の損傷防止や滑り防止効果にも役立つ。さらに、浴槽フランジ２の隅部に例えば浴槽デッキ水栓４、ジェットバスのボタン等の設備が設置されている場合であっても、従来のような切り欠き１０ａ（図７（ａ））を設ける必要もなく、従って、１種類の風呂蓋３で様々な浴槽の高断熱化を実現できると共に、風呂蓋３の生産性向上及び低コスト化を図ることができる利点がある。そのうえ、風呂蓋３の施蓋状態では風呂蓋３の上面３ａが浴槽フランジ２の最も低い上面位置２ａよりも上方に突出しないため、浴槽フランジ２と風呂蓋３との間で一体感が得られ、デザイン性向上を図ることができ、さらに加えて、落とし込まれた風呂蓋３は容易に外れることがないため、浴槽内に子供が落ちる事故を未然に防止できる利点もある。さらに２枚１組の組蓋３Ａのそれぞれに取手６を設けて構成したことによって、取手６をつかんで簡単に着脱ができ、持ち運びや取り扱いをスムーズに行うことができるなど、使い勝手がきわめて良好となる。勿論、風呂蓋３は分割しない１枚物の組蓋で構成されてもよい。
【００１７】
図５は本発明の他の実施形態であり、風呂蓋３を構成する組蓋３Ａの外端部を浴槽本体１の内面１ａにフィットする斜面形状に形成した場合を示している。他の構成は図１〜図４と同様である。本例では組蓋３Ａの外周部３ｃ、３ｄ、３ｅ（図３）の断面形状をそれぞれ上端から下端にいくほど斜め下方に傾斜させており、これにより浴槽本体１の内面１ａに風呂蓋３の外周部をそれぞれフィットさせることができるので、仮りに軟質部材５（図３）を用いない場合であっても、高い密着性を容易に確保できる利点がある。
【００１８】
また、前記実施形態では、風呂蓋３の外端部を浴槽本体１の内面１ａに密着させることで施蓋する場合を説明したが、浴槽本体１の内面１ａに風呂蓋３の外端部を載置するための段落ち部７を設けてもよい。その一例を図６に示す。この場合においても、段落ち部７に載置した風呂蓋３の上面３ａが浴槽フランジ２の最も低い上面位置２ａよりも上方に突出しないように、段落ち部７の深さを設定することによって、浴槽フランジ２と風呂蓋３との一体感が得られ、デザイン性が向上すると共に、段落ち部７によって風呂蓋３の施蓋状態をより安定化させることができる利点も得られる。
【図面の簡単な説明】
【００１９】
【図１】本発明の一実施形態であり、（ａ）は浴槽本体の内面に接するように風呂蓋を落とし込んで着脱自在に施蓋した状態の平面図、（ｂ）は側面図である。
【図２】（ａ）は同上の浴槽フランジ付き浴槽の平面図、（ｂ）は側面図である。
【図３】同上の風呂蓋を左右２分割した一方の組蓋の平面図である。
【図４】図１（ａ）のＡ−Ａ線断面図である。
【図５】本発明の他の実施形態であり、（ａ）は組蓋の外端部を斜面形状に形成した場合の側面図、（ｂ）は組蓋の斜面形状が浴槽本体の内面にフィットする状態を説明する断面図である。
【図６】本発明の更に他の実施形態を示す断面図である。
【図７】（ａ）は従来の巻き蓋仕様の風呂蓋を浴槽フランジの上面に載置した状態の平面図であり、（ｂ）は側面図である。
【符号の説明】
【００２０】
１  浴槽本体
１ａ  内面
２  浴槽フランジ
２ａ  上面位置
３  風呂蓋
３ａ  上面
５  軟質部材
【図１】
0005416344.tif 000002
【図２】
0005416344.tif 000003
【図３】
0005416344.tif 000004
【図４】
0005416344.tif 000005
【図５】
0005416344.tif 000006
【図６】
0005416344.tif 000007
【図７】
0005416344.tif 000008